(57)【要約】【課題】人体通信を介して使用者決済情報をガソリンスタンド側の決済端末に伝達して決済を自動的に行うことができる人体通信を利用した決済システム及びその方法を提供する。【解決手段】本発明は、人体を媒介して通信手段を連結する人体通信部と、使用者決済情報及び注油情報を格納する格納部と、前記人体通信部により人体通信が行なわれると、前記使用者決済情報の決済を行う端末に前記人体通信を介し送信するように制御する制御部とを備え、前記制御部は、前記決済端末から注油情報を受信すると、車計簿にアップデートさせて管理し、前記人体通信連結に失敗すると、使用者の移動通信端末に人体通信連結失敗結果を通知し、前記車両端末と人体通信が連結されると、使用者認証を行い前記車両端末から受信した使用者決済情報を利用して決済を行うことを特徴とする。【選択図】図１
2013012170.tif 000002
【特許請求の範囲】
【請求項１】
人体を媒介して通信手段を連結する人体通信部と、
使用者決済情報及び注油情報を格納する格納部と、
前記人体通信部により人体通信が行なわれると、前記使用者決済情報の決済を行う端末に前記人体通信を介して送信するよう制御する制御部と、
を備える車両端末を含むことを特徴とする人体通信を利用した決済システム。
【請求項２】
前記制御部は、
前記決済端末から注油情報を受信すると、車計簿にアップデートさせて管理することを特徴とする請求項１に記載の人体通信を利用した決済システム。
【請求項３】
前記制御部は、
前記人体通信連結に失敗すると、使用者の移動通信端末に人体通信連結失敗結果を通知するように制御することを特徴とする請求項１または２に記載の人体通信を利用した決済システム。
【請求項４】
前記車両端末と人体通信が連結されると、使用者認証を行い前記車両端末から受信した使用者決済情報を利用して決済を行う決済端末をさらに含むことを特徴とする請求項１に記載の人体通信を利用した決済システム。
【請求項５】
前記決済端末は、
人体を媒介に通信を連結する人体通信部と、
使用者から指紋の認識を受ける指紋認識部と、
人体通信を介し受信した指紋情報と、前記指紋認識部により認識された指紋情報とを利用して使用者認証を行う認証部と、
前記認証部により使用者認証に成功すると、前記人体通信を介し受信したカード情報を利用して決済を行う制御部と
を含むことを特徴とする請求項４に記載の人体通信を利用した決済システム。
【請求項６】
前記制御部は、
前記決済遂行が完了すると、注油情報を車両端末に前記人体通信を介して伝達するように制御することを特徴とする請求項５に記載の人体通信を利用した決済システム。
【請求項７】
前記使用者決済情報は、
カード情報、使用者の移動通信端末の電話番号、使用者の指紋情報のうち一つ以上を含むことを特徴とする請求項１または２に記載の人体通信を利用した決済システム。
【請求項８】
人体を媒介して通信手段を連結する人体通信部と、
使用者から指紋の認識を受ける指紋認識部と、
人体通信を介し受信した指紋情報と、前記指紋認識部により認識された指紋情報とを利用して使用者認証を行う認証部と、
前記認証部により使用者認証に成功すると、前記人体通信を介し受信したカード情報を利用して決済を行う制御部と、
を備える決済端末を含むことを特徴とする人体通信を利用した決済システム。
【請求項９】
前記制御部は、
前記決済遂行が完了すると、注油情報を車両端末に前記人体通信を介して伝達するように制御することを特徴とする請求項８に記載の人体通信を利用した決済システム。
【請求項１０】
車両端末と決済端末が人体通信を行う過程と、
前記車両端末が使用者決済情報を前記人体通信を介して前記決済端末に送信する過程と、
前記決済端末が使用者認証を行う過程と、
前記使用者認証に成功すると、前記使用者決済情報を利用して決済を行う過程と
を含むことを特徴とする人体通信を利用した決済方法。
【請求項１１】
前記使用者認証を行う過程は、
前記決済端末が使用者から指紋の認識を受ける過程と、
前記使用者決済情報のうち指紋情報と、前記認識された指紋情報とを比較して使用者認証を行う過程と
を含むことを特徴とする請求項１０に記載の人体通信を利用した決済方法。
【請求項１２】
注油情報を前記車両端末に前記人体通信を介して送信する過程と、
前記車両端末が前記注油情報を車計簿にアップデートさせて管理する過程と
をさらに含むことを特徴とする請求項１０に記載の人体通信を利用した決済方法。
【請求項１３】
注油情報を前記車両端末に前記人体通信を介して送信する過程と、
前記車両端末が前記注油情報を車計簿にアップデートさせて管理する過程と
をさらに含むことを特徴とする請求項１１に記載の人体通信を利用した決済方法。
【発明の詳細な説明】
【技術分野】
【０００１】
本発明は人体通信を利用した決済システム及びその方法に係り、より詳しくは、人体通信を介して使用者決済情報をガソリンスタンド側決済端末に提供して決済を自動に行う人体通信を利用した決済システム及びその方法に関する。
【背景技術】
【０００２】
人体を電気的な信号伝達の媒体に用いてデータを送受信する技法が提案されている。人体を媒体に用いて電気的な信号を送受信する装置は、医療診断装備を始め多様な分野で応用される。人体を電気的な信号伝達の媒体に用いてデータを送受信する装置は、人体と直接接触するための電極を備えて人体を媒体に用いる。
人体を媒体に用いて電気的な信号を送受信する装置は、人体を特定装置に接触することだけでも電気的な信号の伝達が可能であるため、別の有線あるいは無線通信装備を備えなくとも使用者とシステムの間のデータ送受信が可能である。このような人体通信装置を多様な分野に応用することにより、別の有無線通信装備や通信線路を構築せずとも、データ送信において使用者の利便性を向上させることができる。
【０００３】
最近、車両を開発する際一番重点を置く事項が運転者の利便性である。運転者が注油したあと、決済時にカードを他人（ガソリンスタンドの従業員）に渡すか、カード情報を与えて決済をする行為はカードの不法複製又は悪用の可能性が高くカードの安全性が低い問題点がある。
さらに、運転者が注油後、自分の注油量と日付、場所などを記録する車計簿があるが、これを毎度記録するのが煩わしく実際に注油情報の管理が成り立たないとの問題点がある。
【先行技術文献】
【特許文献】
【０００４】
【特許文献１】特開２０１０−１５２４９６号公報
【発明の概要】
【発明が解決しようとする課題】
【０００５】
本発明の目的は、人体通信を介して使用者決済情報をガソリンスタンド側の決済端末に伝達して決済を自動的に行うことができる人体通信を利用した決済システム及びその方法の提供である。
【課題を解決するための手段】
【０００６】
本発明に係る人体通信を利用した決済システムは、人体を媒介として通信手段を連結する人体通信部と、使用者決済情報及び注油情報を格納する格納部と、前記人体通信部により人体通信が行なわれると、前記使用者決済情報の決済を行なう端末に、前記人体通信を介して送信するように制御する制御部とを備える車両端末を含むことを特徴とする。
【０００７】
本発明に係る人体通信を利用した決済システムは、人体を媒介として通信手段を連結する人体通信部と、使用者から指紋の認識を受ける指紋認識部と、人体通信を介して受信した指紋情報と前記指紋認識部により認識された指紋情報を利用して使用者認証を行う認証部と、前記認証部により使用者認証に成功すると、前記人体通信を介し受信したカード情報を利用して決済を行う制御部とを備える決済端末を含むことを特徴とする。
【０００８】
本発明に係る人体通信を利用した決済方法は、車両端末と決済端末が人体通信を行う過程と、前記車両端末が使用者決済情報を前記人体通信を介して前記決済端末に送信する過程と、前記決済端末が使用者認証を行う過程と、前記使用者認証に成功すると前記使用者決済情報を利用して決済を行う過程とを含むことを特徴とする。
【発明の効果】
【０００９】
本発明によれば人体通信部と接触するだけで、人体通信を介して使用者決済情報をガソリンスタンド側の決済端末に伝送し、決済を自動的に行なって運転者の利便性を増大させる効果がある。
また、カード情報を他人（ガソリンスタンド側の従業員）に提供せずに決済することができるので、カード不法複製などが防止できる効果がある。
さらに、注油情報を毎度使用者が記録せず自動的にアップデートされるようにすることにより、いつでも移動通信端末機又はインターネットを介して自分の注油情報を確認することができるので、使用者の利便性を増大させる効果がある。
【図面の簡単な説明】
【００１０】
【図１】本発明の実施形態に係る人体通信を利用した決済システムの構成を示す図である。
【図２】図１に示した人体通信部の詳細な構成を示す図である。
【図３】本発明の実施形態に係る人体通信を利用した決済方法を示すフローチャートである。
【発明を実施するための形態】
【００１１】
以下、本発明の実施形態について図面を参照して詳しく説明する。
本明細書で開示する交通手段、又はそれと類似の用語は、スポーツ機能車両（ＳＵＶ）、バス、トラック、多様な商業車両を含む乗用自動車、多様なボートと船舶を含むウォータークラフト（ｗａｔｅｒｃｒａｆｔ）、エアクラフト（ａｉｒｃｒａｆｔ）等々のようなモーター車両、ハイブリッド（ｈｙｂｒｉｄ）車両、電気車両、プラグインハイブリッド電気車両、水素（ｈｙｄｒｏｇｅｎ−ｐｏｗｅｒｅｄ）車両、その外の他の燃料を利用する車両（例えば、石油外の燃料を利用する車両）などを含む。特に、前述したハイブリッド車両は、２つ又はそれ以上の資源（例えば、ガソリンと電気エネルギー二つとも利用する車両）を利用した車両である。
【００１２】
図１は、本発明の実施形態に係る人体通信を利用した決済システムの構成を示す図である。
本発明に係る人体通信を利用した決済システムは、車両内に備えられる車両端末１００とガソリンスタンド側の決済端末２００を、使用者の接触を介して人体通信を行うことにより決済を行う。
車両端末１００は、人体を媒介してガソリンスタンド側の決済端末２００と人体通信が連結されると、使用者決済情報（認証のための使用者の指紋情報、移動通信端末の電話番号、決済のためのカード情報）を人体通信を介して決済端末２００に伝達する。
このため、車両端末１００は人体通信部１１０、格納部１２０、制御部１３０、表示部１４０及び無線通信部１５０を備える。
【００１３】
人体通信部１１０は、使用者の手が接触すると、これを認知し使用者人体に微細電流を通過させ、人体を媒介して決済端末２００側の人体通信部２１０と通信路を設定して人体通信ができるようにする。
格納部１２０は、使用者の決済情報（認証のための使用者の指紋情報、移動通信端末の電話番号、決済のためのカード情報）、及び決済端末２００から受信した注油情報を格納する。このとき、各情報は暗号化されているので、他人によるハッキングを不可にする。
【００１４】
制御部１３０は、車両端末１００の人体通信部１１０とガソリンスタンド側の決済端末２００との間に、人体を媒介にする人体通信が成功裡に連結されたのかを判断し、人体通信連結に失敗した場合、無線通信部１５０を介して移動通信端末４００に人体通信に失敗したことを通知し、人体通信連結に成功した場合、人体通信部１１０を介して格納部１２０に格納されている決済のための使用者の指紋情報、移動通信端末の電話番号、決済のためのカード情報を決済端末２００に送信するように制御する。
【００１５】
さらに、制御部１３０は決済端末２００から人体通信を介して注油情報を受信すると、注油情報を車計簿に適用して登録し、表示部１４０に表示するように制御して運転者が注油情報を確認できるようにする。ここで、制御部１３０は、車両に備えられているＥＣＵ（Ｅｌｅｃｔｒｏｎｉｃ  Ｃｏｎｔｒｏｌ  Ｕｎｉｔｓ）が行うこともできる。
表示部１４０は、人体通信に成功すると、人体通信に連結された画面、注油情報、車計簿などの情報を画面に表示する。このとき、車計簿は、使用者が自分の移動通信端末機４００又はインターネットサイトを介して何時何処でも提供されるようにするのが好ましい。
【００１６】
無線通信部１５０は、ワイファイ（ＷｉＦｉ）、ワイブロ（ＷｉＢｒｏ）、３Ｇ通信網などを介して無線通信を行う。
図１では、人体通信部１１０を車両端末１００の内部に備える例を開示したが、人体通信部１１０を車両端末１００と別途の端末に構成して具現することもできる。
一方、ガソリンスタンド側の決済端末２００は、車両端末１００と人体通信が連結されると、車両端末１００から受信した使用者の指紋情報を利用して使用者認証を行い、認証に成功すると車両端末１００から受信したカード情報を利用して決済を行い、決済遂行に伴う注油情報を車両端末１００に伝送する。
【００１７】
このため、決済端末２００は人体通信部２１０、指紋認識部２２０、認証部２３０、制御部２４０、無線通信部２５０及び表示部２６０を備える。
人体通信部２１０は、人体を媒介して車両端末１００の人体通信部１１０と人体通信を行う。
指紋認識部２２０は、使用者の手がタッチされると指紋を撮影して認識し、認識された指紋データを認証部２３０に伝達する。
認証部２３０は、車両端末１００から受信した指紋情報と、指紋認識部２２０を介して認識された指紋データとを比較して使用者認証を行う。即ち、認証部２３０は、車両端末１００から受信した指紋情報と、指紋認識部２２０を介して認識された指紋データとが一致すると、使用者認証に成功したものと判断し、一致しなければ使用者認証に失敗したものと判断する。
【００１８】
制御部２４０は、認証部２３０を介して使用者認証に成功すると、車両端末１００から受信したカード情報を利用し決済サーバー３００と連動して決済を行い、決済が完了すると、決済結果を無線通信部２５０を介して使用者の移動通信端末４００に送信するよう制御し、注油情報を車両端末１００に人体通信を介して送信するように制御する。さらに、制御部２４０は、認証部２３０を介して使用者認証に失敗すると、認証失敗結果を無線通信部２５０を介して使用者の移動通信端末４００に送信する。
無線通信部２５０はワイファイ（ＷｉＦｉ）、ワイブロ（ＷｉＢｒｏ）、３Ｇ通信網などを介して無線通信を行う。
表示部２６０は、決済金額を画面に表示する。
【００１９】
以下、図２を参照して、車両端末１００の人体通信部１１０と決済端末２００の人体通信部２１０との間の人体通信過程について詳しく検討する。
先ず、車両端末１００の人体通信部１１０は、データ送信器（Ｄａｔａ  Ｔｒａｎｓｍｉｔｔｅｒ）１１１、人体通信送信器（Ｈｕｍａｎ  Ｂｏｄｙ  Ｃｏｍｍｕｎｉｃａｔｉｏｎ  Ｔｒａｎｓｍｉｔｔｅｒ、ＨＢＣ  Ｔｒａｎｓｍｉｔｔｅｒ）１１２及び人体接触点（Ｅｌｅｃｔｒｏｄｅ）１１３を含む。
データ送信器１１１は、制御部１３０から伝達された認証情報を人体通信送信器１１２に伝達する。
人体通信送信器１１２は、データ送信器１１１から伝達された認証情報を、人体を媒体にして伝達することができる電気信号に変換したあと、人体接触点１１３に接触した人体を介して決済端末２００に送信する。このとき、人体は車両端末１００の人体接触点１１３と決済端末２００の人体接触点２１１とに全て接触していなければならない。
【００２０】
人体接触点１１３は、人体の皮膚と直接接触するか、又は被服を間に置いて人体と接触した状態で、人体通信送信器１１２からの電気信号を人体を媒体にして送信する。
次に、決済端末２００の人体通信部２１０は人体接触点（Ｅｌｅｃｔｒｏｄｅ）２１１、人体通信受信器（Ｈｕｍａｎ  Ｂｏｄｙ  Ｃｏｍｍｕｎｉｃａｔｉｏｎ  Ｒｅｃｅｉｖｅｒ、ＨＢＣ  Ｒｅｃｅｉｖｅｒ）２１２、データ受信器２１３を含む。
人体接触点２１１は、人体の皮膚と直接接触するか、又は被服を間に置いて人体と接触した状態で、人体通信部１１３の人体通信送信器１１２から電気信号を人体を媒体にして送信される。このとき、人体接触点２１１は車両のドアハンドルに設けられるのが好ましい。
【００２１】
人体通信受信器２１２は、人体接触点２１１を介して人体通信部１１３から人体を媒体に送信された電気信号を元来の認証情報を変換した後、データ受信器２１３に伝達する。
データ受信器２１３は、人体通信受信器２１２から認証情報を受信する。
一方、車両端末１００の人体通信部１１３と決済端末２００の人体通信部２１０は、両方向通信が可能になるよう具現することもできる。
即ち、車両端末１００の人体通信部１１３が人体通信受信器及びデータ受信器をさらに備え、決済端末２００の人体通信部２１０が人体通信送信器及びデータ送信器をさらに備えて両方向通信が可能になるよう具現することもできる。
【００２２】
以下、図３を参照して、本発明の実施形態に係る人体通信を利用した決済方法を説明する。
先ず、使用者がガソリンスタンドで注油すると、決済端末２００が決済金額を画面に表示し（Ｓ１０１）、使用者が決済金額を確認することができるようにする。
その後、決済のため、使用者により車両端末１００の人体通信部１１０と、ガソリンスタンド側の決済端末２００の人体通信部２１０とに同時に手が接触され、車両端末１００と決済端末２００との間に人体を媒介に通信が連結される（Ｓ１０２）。
その後、車両端末１００の制御部１３０は、人体通信連結に成功したのかを確認し（Ｓ１０３）、失敗した場合は使用者の移動通信端末４００に人体通信失敗を通知する（Ｓ１０４）。
【００２３】
一方、人体通信連結に成功した場合、車両端末１００は使用者決済情報（指紋情報、カード情報、移動通信端末電話番号）を人体通信を介して決済端末２００に送信する（Ｓ１０５）。
ここに、決済端末２００は使用者から指紋の入力を受けて認識し（Ｓ１０６）、認識された指紋データと、車両端末１００から受信した指紋情報とを比較して使用者認証を行う（Ｓ１０７）。
使用者認証に失敗すると、決済端末２００は車両端末１００から受信した移動通信端末電話番号を利用して使用者の移動通信端末４００に使用者認証失敗を通知し（Ｓ１０８）、使用者再認証のため使用者に指紋再認識を誘導し、再認識された指紋データで使用者認証をさらに行う。
【００２４】
一方、使用者認証に成功すると、決済端末２００は車両端末１００から受信したカード情報を介し決済サーバー３００と連動して決済を進め（Ｓ１０９）、決済が完了すると、注油情報を車両端末１００に人体通信を介して送信し（Ｓ１１０）、無線通信網を介して決済結果を使用者の移動通信端末４００に送信する（Ｓ１１１）。
ここに、車両端末１００は決済端末２００から受信した注油情報を車計簿に登録してアップデート及び管理する（Ｓ１１２）。
本発明では、ガソリンスタンドにおける決済過程を例に開示しているが、デパート、飲食店、マート、ハイパス充電システムなど、決済システムを適用している多様な分野で適用することができる。
【００２５】
このように、本発明は、ガソリンスタンドで注油が終った後、カードや現金を利用せず、車両端末１００の人体通信部１１０とガソリンスタンド側の人体通信部２１０とに指を同時に接触させることにより決済を進める。
さらに、本発明は、ガソリンスタンドで決済が完了したあと、決済端末２００が注油情報を車両端末１００に人体通信を介して送信し、車計簿に自動アップデートさせることにより車計簿管理が容易になる。
【００２６】
以上、本発明に関する好ましい実施形態を説明したが、本発明は前記実施形態に限定されず、本発明の属する技術範囲を逸脱しない範囲での全ての変更が含まれる。
【符号の説明】
【００２７】
１００：車両端末                                
１１０、２１０：人体通信部                    
１２０：格納部
１３０、２４０：制御部                            
１４０、２６０：表示部
１５０、２５０：無線通信部                    
２００：決済端末
２２０：指紋認識部
２３０：認証部
３００：決済サーバー                          
４００：移動通信端末
【図１】
2013012170.tif 000003
【図２】
2013012170.tif 000004
【図３】
2013012170.tif 000005